(57)【要約】【課題】マッサージ治療に併行して音楽を鳴らし、音楽をもって治療パターンに変化を与え、効果的なマッサージを施すことができるメロディ式水圧マッサージ機を提供すること。【解決手段】制御部７、ポンプ６、ノズル４及びノズル移動機構５等を有する水圧マッサージ機１において、治療に関するデータを記憶する記憶器２８と、音楽再生装置３１とが付加設置され、前記記憶器２８には音楽を記憶する音楽記憶機能３２と、治療パターンデータを記憶するパターン記憶機能３３とが備えられ、複数の音楽と複数の治療パターンデータとは対になって記憶されており、再生する音楽曲名毎にその曲名に対応して、ノズル４の移動及び／又はノズル４への噴射圧が、所定の治療パターンのもとに作動するメロディ式水圧マッサージ機である。【選択図】図１
2005110783.tif 000002
【特許請求の範囲】
【請求項１】
制御部（７）、ポンプ（６）、ノズル（４）及びノズル移動機構（５）を有する水圧マッサージ機（１）において、治療に関するデータを記憶する記憶器（２８）と、音楽再生装置（３１）とが付加設置され、前記記憶器（２８）には音楽を記憶する音楽記憶機能（３２）と、治療パターンデータを記憶するパターン記憶機能（３３）とが備えられ、複数の音楽と複数の治療パターンデータとは対になって記憶されており、再生する音楽曲名毎にその曲名に対応して、ノズル（４）の移動及び／又はノズル（４）への噴射圧が、所定の治療パターンのもとに作動することを特徴とするメロディ式水圧マッサージ機。
【請求項２】
制御部（７）、ポンプ（６）、ノズル（４）及びノズル移動機構（５）を有する水圧マッサージ機（１）において、治療に関するデータを記憶する記憶器（２８）と、音楽の再生データをリアルタイムに感知・演算する感知・演算器（３６）と、音楽再生装置（３１）とが付加設置され、前記記憶器（２８）には、音楽を記憶する音楽記憶機能（３２）が備えられ、音楽再生中の音データに対応して、ノズル（４）の移動及び／又はノズル（４）への噴射圧が、リアルタイムに変化することを特徴とするメロディ式水圧マッサージ機。
【請求項３】
制御部（７）には、再生音データ中の音程の高低を感知するメロディセンサー（３８）が備わり、前記再生音データが、高音時にはノズル（４）の移動が早くなり及び／又はノズル（４）への噴射圧が高くなり、低音時にはノズル（４）の移動が遅くなり及び／又は噴射圧が低くなることを特徴とする請求項２記載のメロディ式水圧マッサージ機。
【請求項４】
制御部（７）には、再生音データ中のテンポの速遅を感知するリズムセンサー（３９）が備わり、前記再生音データが、急テンポの時にはノズル（４）の移動が早くなり及び／又はノズル（４）への噴射圧が高くなり、緩テンポの時にはノズル（４）の移動が遅くなり及び／又は噴射圧が低くなることを特徴とする請求項２記載のメロディ式水圧マッサージ機。
【発明の詳細な説明】
【技術分野】
【０００１】
本発明は、マッサージを受けようとする臥姿勢の人体（＝以下患者という）の頸部、体幹及び下肢を、音楽を発生させながら噴射水圧によりマッサージするメロディ式水圧マッサージ機に関する。
【背景技術】
【０００２】
従来の技術は、袋体、ウォーターシート、ベッド、振動発生手段、ウォーターシート内の水、水噴射手段、水噴射口等から構成される。振動発生手段の駆動によりスイング、シェイク、シャッフルの三つのマッサージパターンが得られる。
【０００３】
従来の技術は、スイング（振動数５ヘルツ）、シェイク（振動数１０ヘルツ）、シャッフル（振動数1５ヘルツ）の三つのマッサージパターンをミキシングしてマッサージを施すことができる。
【０００４】
しかし、マッサージの実施に併行して音楽を流し音楽に対応してマッサージパターンに変化を与える構成は無い。
【特許文献１】特開２００３−１０２７５号公報
【発明の開示】
【発明が解決しようとする課題】
【０００５】
解決しようとする問題点は、従来技術は振動発生手段によるマッサージ治療パターンが示されているが、音楽を鳴らしながら、音楽に対応してマッサージパターンが変化する構成は無く、音楽療法をマッサージ療法に加味し、治療効果を向上させるものでは無いという点である。
【課題を解決するための手段】
【０００６】
本発明の目的は、上記要望に応えたものであり、マッサージ治療に併行して音楽を鳴らし、音楽をもって治療パターンに変化を与え、効果的なマッサージを施すことができるメロディ式水圧マッサージ機を提供することにある。
即ち本発明は、制御部（７）、ポンプ（６）、ノズル（４）及びノズル移動機構（５）を有する水圧マッサージ機（１）において、治療に関するデータを記憶する記憶器（２８）と、音楽再生装置（３１）とが付加設置され、前記記憶器（２８）には音楽を記憶する音楽記憶機能（３２）と、治療パターンデータを記憶するパターン記憶機能（３３）とが備えられ、複数の音楽と複数の治療パターンデータとは対になって記憶されており、再生する音楽曲名毎にその曲名に対応して、ノズル（４）の移動及び／又はノズル（４）への噴射圧が、所定の治療パターンのもとに作動することを特徴とするメロディ式水圧マッサージ機である。
或いは、治療に関するデータを記憶する記憶器（２８）と、音楽の再生データをリアルタイムに感知・演算する感知・演算器（３６）と、音楽再生装置（３１）とが付加設置され、前記記憶器（２８）には、音楽を記憶する音楽記憶機能（３２）が備えられ、音楽再生中の音データに対応して、ノズル（４）の移動及び／又はノズル（４）への噴射圧が、リアルタイムに変化する。
又、制御部（７）には、再生音データ中の音程の高低を感知するメロディセンサー（３８）が備わり、前記再生音データが、高音時にはノズル（４）の移動が早くなり及び／又はノズル（４）への噴射圧が高くなり、低音時にはノズル（４）の移動が遅くなり及び／又は噴射圧が低くなる。
更に又、制御部（７）には、再生音データ中のテンポの速遅を感知するリズムセンサー（３９）が備わり、前記再生音データが、急テンポの時にはノズル（４）の移動が早くなり及び／又はノズル（４）への噴射圧が高くなり、緩テンポの時にはノズル（４）の移動が遅くなり及び／又は噴射圧が低くなる。
【発明の効果】
【０００７】
本発明は、水圧マッサージ機１において、治療メロディ及び治療パターンデータを記憶する記憶器２８と、音楽再生装置３１とが付加設置され、発生する演奏曲名に対応して、ノズル４の移動及び／又はノズル４への噴射圧が、所定の変化をなす。この構成によれば、記憶した治療メロディ及び治療パターンデータに基づいて、音楽が鳴ると同時にマッサージが行なわれるので、マッサージ治療に音楽療法が加味され、マッサージ効果が向上し、音楽によるリラクゼーション効果も得られ、好都合である。
【０００８】
本発明は、水圧マッサージ機１において、治療メロディを記憶する記憶器２８と、演奏曲の再生データをリアルタイムに感知・演算する感知・演算器３６と、音楽再生装置３１とが付加設置され、演奏中の音データに対応して、ノズル４の移動及び／又はノズル４への噴射圧が、リアルタイムに変化する。この構成によれば、演奏中の音データに応じてノズル４の移動及びノズル４への噴射圧が変るので、音楽の刺激とマッサージの刺激が相乗し、効果的なマッサージを行なうことができ、リラクゼーション効果が期待でき、好都合である。
【０００９】
本発明は、演奏中の音程の高低を感知するメロディセンサー３８を有し、高音時には、ノズル４の移動が早くなり及び／又はノズル４への噴射圧が高くなり、低音時には、ノズル４の移動が遅くなり及び／又は噴射圧が低くなるから、演奏曲の音程に関連して、ノズル４から出る水の噴射強度が変るので、音楽の刺激とマッサージの刺激が相乗し、効果的なマッサージを行なうことができ、リラクゼーション効果が得られ、好都合である。
【００１０】
本発明は、演奏中のテンポの速遅を感知するリズムセンサー３９を有し、テンポが早い時には、ノズル４の移動が早くなり及び／又はノズル４への噴射圧が高くなり、テンポが遅い時にはノズル４の移動が遅くなり及び／又は噴射圧が低くなるから、演奏曲のテンポに関連して、ノズル４から出る水の噴射強度が変るので、音楽の刺激とマッサージの刺激が相乗し、効果的なマッサージを行なうことができ、リラクゼーション効果が得られ、好都合である。
【発明を実施するための最良の形態】
【００１１】
本発明の水圧マッサージ機１で、患者にマッサージを施す。制御部７は、循環機構２２とノズル移動機構５を制御する。循環機構２２は、インバータ３０と、ポンプ６と、ノズル４からなる。インバータ３０は、ポンプ６へ回転用の電力を供給する。ポンプ６は、ノズル４に噴射水を供給する。ノズル４は、ポンプ６からの加圧水を得て、可撓膜３に向けて噴射する。
【００１２】
ノズル移動機構５は、ノズル４を水圧マッサージ機１の縦方向及び／又は横方向に動かす。
記憶器２８は治療に関するデータを記憶する。
音楽記憶機能３２は、音楽を記憶する。
パターン記憶機能３３へは、ノズル４で行なうマッサージ治療の治療パターンを記憶させている。パターン記憶機能３３の出力は、再生する音楽の曲名毎にその曲に対応して、ノズル移動機構５及び循環機構２２を作動させ、ノズル４の移動及び／又はノズル４への噴射圧を所定の治療パターンのもとに作動してマッサージを実行する。
【００１３】
感知・演算器３６は、音楽の再生データをリアルタイムに感知・演算する。
ノズル４は、音楽再生中の音データに対応して、ノズル４移動及び／又はノズル４への噴射圧が、リアルタイムに変化する。
【００１４】
制御部７のメロディセンサー３８は、再生音データ中の音程の高低を感知する。前記再生音データが、高音時にはノズル４の移動が早くなり及び／又はノズル４への噴射圧が高くなり、低音時にはノズル４の移動が遅くなり及び／又は噴射圧が低くなる。
【００１５】
制御部７のリズムセンサー３９は、再生音データが、急テンポの時にはノズル４の移動が早くなり及び／又はノズル４への噴射圧が高くなり、緩テンポの時にはノズル４の移動が遅くなり及び／又は噴射圧が低くなる。
【実施例１】
【００１６】
図１、２に本発明の実施例１を示している。
図２に示す実施例１の水圧マッサージ機１は、水を満たす水槽２と、該水槽２内にあって水を上方の可撓膜３へ向けへ噴射するノズル４と、該ノズル４を水槽２の縦及び横方向に移動させるノズル移動機構５と、ノズル４に水を供給するポンプ６と、ポンプ６及びノズル移動機構５を制御する制御部７と、水槽２の開口部８を水密に覆う前記可撓膜３とからなる。
【００１７】
水槽２は平面視長方形の容器であり、水を収容する。水槽２の上面は開口してなる開口部８である。
尚、水槽２の形状は、平面視長方形に限定されるものではなく、平面視楕円形又は正方形又は適宜な任意な形状であってもよい。
【００１８】
前記可撓膜３は、伸縮材で製作され、水槽２の全周縁に止着される。
ノズル４は、ポンプ６から得た加圧水を可撓膜３に向けて噴射するものであり、ノズル移動機構５に支持される。
【００１９】
前記ノズル移動機構５は、水槽２の底壁９に載置され水槽２の縦方向（＝長手方向）に移動可能な台車１０と、該台車１０を水槽２の横方向（＝短手方向）に移動させる横移動機構１４と、台車１０を水槽２の縦方向に移動させる縦移動機構１１とからなる。
台車１０の上部に前記ノズル４が載設される。
【００２０】
縦移動機構１１は、水槽２の縦方向に掛け渡され台車１０を移動させる移動用ネジ軸１２と、移動用ネジ軸１２を回動させ水槽２の外側に設けられる縦移動モータ１３とからなる。
【００２１】
横移動機構１４は、水槽２の縦方向に掛け渡されノズルベース１５を回転させる回転用軸１６と、回転用軸１６を回動させ水槽２の外側に設けられる回転移動モータ１７とからなる。ノズル４はノズルベース１５の回転によって横方向に移動する。
台車１０の側面には取水口１８が設けられる。
【００２２】
移動用ネジ軸１２は、台車１０に設けられる雌ネジ１９に螺合される。回転用軸１６にはウォームギア４０が設けられ、該ウォームギア４０はノズルベース１５に設けられるウォームホイル２０に係合される。台車１０の下部には底壁９を転動する車輪２１が設けられる。
【００２３】
循環機構２２は、水槽２内の水をポンプ６で吸入し圧縮し、ノズル４へ付与し、循環させるものである。
前記ポンプ６は、水槽２内の水を、底壁９に開設された吸入口２３から循環管路２４を介して吸入し、加圧し、加圧した加圧水を前記ノズル４へ付与し、ノズル４から噴射させるものである。
【００２４】
ポンプ６の吐水口２５に基端が取着されたホース２６の先端は、底壁９の出水口２７を貫通し台車１０の取水口１８に接続される。前記加圧水は、台車１０の内部においてノズル４に導かれる。前記ノズル４から加圧水が噴射され、この噴射水は、可撓膜３を介して患者に当たり、患者を押圧刺激する。尚、出水口２７は水槽２の側壁に設けられてもよい。
【００２５】
又、図示を省略するが、水槽２に、該水槽２の上部に有るエアーを抜くエアー抜き装置が設けられる。可撓膜３下に溜まるエアーは前記エアー抜き装置から必要に応じて抜き去られる。
【００２６】
図１に示す電気的構成を説明する。
電気的構成は、治療に関するデータを記憶する記憶器２８と、循環機構２２とノズル移動機構５とを制御する制御部７と、制御部７に指示を与える操作部２９と、水槽２内の水を循環させる循環機構２２と、ノズル４を縦及び横方向に移動させるノズル移動機構５と、音楽を再生する音楽再生装置３１とからなる。
前記循環機構２２は、ポンプ６に所定の電力を供給するインバータ３０と水槽２の水を加圧しノズル４へ供給するポンプ６と水を噴射するノズル４とからなる。
【００２７】
記憶器２８には、音楽を記憶する音楽記憶機能３２と、治療パターンデータを記憶するパターン記憶機能３３とが備えられ、複数の音楽と複数の治療パターンデータとがそれぞれ対になって記憶される。
【００２８】
図２中、３４は水位センサ、３５は底壁９に設けられ水槽２内の水温を図る温度センサである。
【００２９】
実施例１を使用する際は、先ず、水槽２に水を満たす。
次に、患者を、水槽２の開口部８を覆った可撓膜３上に乗せる。開口部８に張設されている可撓膜３の張力、及び水槽２内の水の浮力が作用し、患者を支持する。
【００３０】
続いて、ポンプ６を駆動させると、該ポンプ６は吸入口２３から水槽２内の水を吸入し、吸入した水をノズル４から噴射する。
ノズル４へ供給する水の圧力は、ポンプ６の回転数に比例し、制御部７によりインバータ３０を介して制御される。
可撓膜３は、伸縮性を有しているので、患者に押されて自在に変形し患者外形状によく添うと共に、噴射水の圧力を受けて自在に凸状に変形する。
【００３１】
可撓膜３に噴射水が衝突し該膜３は上方に瞬時突出変形し、可撓膜３を介して患者を押圧しマッサージ刺激を与える。
前記マッサージ刺激の強さは、ノズル４の噴射強さに比例し、ノズル４へ供給する水の圧力に比例する。
可撓膜３は、噴出水の衝撃に係るエネルギーの減衰を少なくして、当該エネルギーを患者に伝導する。
【００３２】
前記ノズル４は、台車１０の移動に伴って縦方向に移動し、ノズルベース１５の回動に伴って回転しながら横方向に移動する。
【００３３】
マッサージ態様例を示すと、操作部２９を操作して治療を開始すると、記憶器２８が作動し、音楽が再生されると同時にノズル４から水が噴射する。
再生音楽は、具体的には再生装置３１に接続され操作部２９付近に設けられるスピーカー（図示省略）から水圧マッサージ治療を受けている患者に伝達されるようになっている。又、イヤホン等を再生装置３１に接続し、患者がイヤホンを装着し再生音楽を聞くようにしてもよい。
記憶器２８に、音楽曲名と治療パターンは対になって、それぞれ複数記憶されているから、記憶している複数の音楽の中から選択した一音楽曲名に対応した所定の治療パターンでノズル４は作動する。ノズル４は、水平面で縦・横移動し、噴射強さが強弱変化する等の作動をなす。
【実施例２】
【００３４】
実施例２は、実施例１に係る記憶器２８を音楽記憶機能３２のみとし、制御部７に感知・演算器３６を付加設置したものである。
実施例２の感知・演算器３６は、音楽の再生データをリアルタイムに感知・演算し、制御部７が有する制御器３７を介して、ノズル４の作動をリアルタイムに変化させる。
【００３５】
即ち、感知・演算器３６のメロディセンサー３８は、再生音データ中の音程の高低を感知し、前記再生音データが、高音時にはノズル４の移動が早くなり及びノズル４への噴射圧が高くなり、低音時にはノズル４の移動が遅くなり及び噴射圧が低くなる。
又、感知・演算器３６のリズムセンサー３９は、再生音データが、急テンポの時にはノズル４の移動が早くなり及びノズル４への噴射圧が高くなり、緩テンポの時にはノズル４の移動が遅くなり及び噴射圧が低くなる。
【産業上の利用可能性】
【００３６】
マッサージ治療に併行して音楽を鳴らし、音楽をもって治療パターンに変化を与え、効果的なマッサージを施すことができるメロディ式水圧マッサージ機に適用できる。
【図面の簡単な説明】
【００３７】
【図１】本発明の実施例１の電気的構成を示すブロック図である。
【図２】本発明の実施例１の側断面図である。
【図３】本発明の実施例２の電気的構成を示すブロック図である。
【符号の説明】
【００３８】
１  水圧マッサージ機
４  ノズル
５  ノズル移動機構
６  ポンプ
７  制御部
２８  記憶器
３１  音楽再生装置
３２  音楽記憶機能
３３  パターン記憶機能
３６  感知・演算器
３８  メロディセンサー
３９  リズムセンサー
【図１】
2005110783.tif 000003
【図２】
2005110783.tif 000004
【図３】
2005110783.tif 000005